(57)【要約】【課題】照射範囲内に存在する物体の視認性を向上させることができる発光ユニットを提供する。【解決手段】発光ユニット１は、実装用基板１０と、実装用基板１０上に配置され且つ第１色温度の光を第１照射範囲ＳＡ１に向かって出射する第１発光部２０と、実装用基板１０上に配置され且つ第１色温度よりも高い第２色温度の光を、第１照射範囲ＳＡ１の一部と重複し且つ第１照射範囲ＳＡ１の外延部の一部を含む第２照射範囲ＳＡ２に向かって出射する第２発光部３０とを備える。【選択図】図１
2013232634.tif 000002
【特許請求の範囲】
【請求項１】
基板と、
前記基板上に配置され且つ第１色温度の光を第１照射範囲に向かって出射する第１発光部と、
前記基板上に配置され且つ前記第１色温度よりも高い第２色温度の光を、前記第１照射範囲の少なくとも一部と重複し且つ前記第１照射範囲の外延部の少なくとも一部を含む第２照射範囲に向かって出射する第２発光部とを備える
ことを特徴とする発光装置。
【請求項２】
前記第１発光部は、前記基板上における第１領域に配置され、
前記第２発光部は、前記基板上における前記第１領域の外延部の少なくとも一部に位置する第２領域に配置され、
前記第１発光部の光軸と前記第２発光部の光軸とが互いに平行である
ことを特徴とする請求項１記載の発光装置。
【請求項３】
前記第２領域は、前記基板上における、前記第１領域の中央部を挟む前記第１領域の両側の領域である
ことを特徴とする請求項２記載の発光装置。
【請求項４】
前記第２領域は、前記基板上における、前記第１領域の外延部において前記第１領域を囲繞する環状領域である
ことを特徴とする請求項２記載の発光装置。
【請求項５】
前記第１発光部は、
前記第１領域に配設され、第１波長領域の光を出射する発光素子と、
前記第１領域に配設された発光素子を覆うように配置され且つ前記第１波長領域の光の一部を前記第１波長領域より長波長側にある第２波長領域の光に変換する第１波長変換部材とを有し、
前記第１波長変換部材を通過する前記第１波長領域の光および前記第２波長領域の光を混合してなる前記第１色温度の光を出射し、
前記第２発光部は、
前記第２領域に配設され、第１波長領域の光を出射する発光素子と、
前記第２領域に配設された発光素子を覆うように配置され且つ前記第１波長領域の光の一部を前記第１波長領域より長波長側にあり且つ前記第２波長領域より短波側にある第３波長領域の光に変換する第２波長変換部材とを有し、
前記第２波長変換部材を通過する前記第１波長領域の光と前記第３波長領域の光とを混合してなる前記第２色温度の光を出射する
ことを特徴とする請求項２記載の発光装置。
【請求項６】
前記第１発光部は、
前記第１領域に配設され、第１波長領域の光を出射する発光素子と、
前記第１領域に配設された発光素子を覆うように配置され且つ前記第１波長領域の光の一部を前記第１波長領域よりも長波長側にある第２波長領域の光に変換する第１波長変換部材とを有し、
前記第１波長変換部材を通過する前記第１波長領域の光および前記第２波長領域の光を混合してなる前記第１色温度の光を出射し、
前記第２発光部は、
前記第２領域に配設され、第１波長領域の光を出射する発光素子と、
前記第２領域に配設された発光素子を覆うように配置され、前記第１波長領域の光の一部を前記第２波長領域の光に変換する第２波長変換部材とを有し、
前記第２波長変換部材の波長変換率は、前記第１波長変換部材の波長変換率に比べて小さく、
前記第２波長変換部材を通過する前記第１波長領域の光および前記第２波長領域の光を混合してなる前記第２色温度の光を出射する
ことを特徴とする請求項２記載の発光装置。
【請求項７】
前記第１発光部は、
前記第１領域に配設され、第１波長領域の光を出射する発光素子と、
前記第１領域に配設された発光素子を覆うように配置され且つ前記第１波長領域の光の一部を前記第１波長領域よりも長波長側にある第２波長領域の光に変換する第１波長変換部材とを有し、
前記第１波長変換部材を通過する前記第１波長領域の光および前記第２波長領域の光を混合してなる前記第１色温度の光を出射し、
前記第２発光部は、
前記第２領域に配設され、第１波長領域の光を出射する発光素子と、
前記第２領域に配説された発光素子を覆うように配置され、前記第１波長領域の光の一部を前記第２波長領域の光に変換する第２波長変換部材とを有し、
前記第２波長変換部材の少なくとも一部は、前記基板上における前記発光素子が配設される面に直交する前記発光素子の主光出射方向における厚みが、前記第１波長変換部材の前記主光出射方向における厚みに比べて薄く、
前記第２波長変換部材を通過する前記第１波長領域の光および前記第２波長領域の光を混合してなる前記第２色温度の光を出射する
ことを特徴とする請求項２記載の発光装置。
【請求項８】
前記第２波長変換部材の前記主光出射方向における厚みは、前記第１波長変換部材から離れる方向に漸減している
ことを特徴とする請求項７記載の発光装置。
【請求項９】
前記第１発光部は、
前記第１領域に配設され且つ前記第１色温度の光を出射する少なくとも１つの第１発光素子を有し、
前記第２発光部は、
前記第２領域に配設され且つ前記第２色温度の光を出射する少なくとも１つの第２発光素子を有する
ことを特徴とする請求項２記載の発光装置。
【請求項１０】
請求項１〜９のいずれかに記載の発光装置と、
前記発光装置から出射された光を対象領域に配光する配光手段とを備える
ことを特徴とする照明システム。
【請求項１１】
前記配光手段は、
前記発光装置から出射された光を前記対象領域に向かって反射する反射板と、
前記反射板で反射された光を集光するレンズとを備える
ことを特徴とする請求項１０記載の照明システム。
【請求項１２】
請求項１〜９のいずれかに記載の発光装置と、
前記第１発光部および前記第２発光部を点灯させる電源装置とを備える
ことを特徴とする照明システム。
【請求項１３】
前記電源装置は、
前記第１発光部に電力を供給する第１電源回路と、
前記第２発光部に電力を供給する第２電源回路とを備える
ことを特徴とする請求項１２記載の照明システム。
【請求項１４】
請求項１０記載の照明システムを備える
ことを特徴とする車載用ヘッドライト。
【請求項１５】
第１色温度の光を第１照射範囲に向かって出射する第１発光装置と、
前記第１色温度よりも高い第２色温度の光を、前記第１照射範囲の少なくとも一部と重複し且つ前記第１照射範囲の外延部の少なくとも一部を含む第２照射範囲に向かって出射する第２発光装置とを備える
ことを特徴とする照明システム。
【発明の詳細な説明】
【技術分野】
【０００１】
本発明は、発光装置に関し、特に、視認性向上を図る技術に関する。
【背景技術】
【０００２】
近年、自動車のヘッドライト用途の発光ユニットとして、ＬＥＤ（Ｌｉｇｈｔ  Ｅｍｉｔｔｉｎｇ  Ｄｉｏｄｅ）チップ等の半導体発光素子を用いたものが提案されている（特許文献１参照）。
特許文献１に記載された発光装置は、ＬＥＤチップを、黄色蛍光体粒子を含有した透光性材料からなる波長変換部材で覆ってなる発光部を備えている。ここにおいて、波長変換部材は、ＬＥＤチップから出射された青色光の一部を黄色光に変換する。一方、ＬＥＤチップから出射された残りの青色光は、波長変換部材で黄色光に変換されずに透過する。その結果、発光部からは、青色光と黄色光とを混合してなる白色光が出射される。
【０００３】
この種の発光装置の配光特性を説明するための図を図２０（ａ）および（ｂ）に示す。
発光装置２００１は、実装用基板２０１１上に実装されたＬＥＤチップ２０２２と、ＬＥＤチップ２０２２を覆うドーム状の波長変換部材２０２４とからなる発光部２０２０を備える。ここで、ＬＥＤチップ２０２２は、青色光を出射するいわゆる青色ＬＥＤである。また、波長変換部材２０２４は、黄色蛍光体を含有する透光性材料（例えば、シリコーン樹脂等）から形成されている。そして、ＬＥＤチップ２０２２から出射する光の波長変換部材２０２４内における光路長は、その出射方向に関わらず略同一となっている。これにより、発光部２０２０から出射する光の色温度は、その出射方向に関わらず略同一になっている。
【０００４】
図２０（ａ）に示すように、発光装置２００１の光軸Ｊ方向（光出射方向）において発光装置２００１から離間した位置に、光軸Ｊに直交するスクリーンＳＣを配置したとする。すると、図２０（ｂ）に示すように、発光装置２００１から出射される光は、スクリーンＳＣ上における照射範囲ＳＡ３１（ハッチングで示した範囲）に照射される。
【先行技術文献】
【特許文献】
【０００５】
【特許文献１】特開２０１０−１１８５３１号公報
【発明の概要】
【発明が解決しようとする課題】
【０００６】
ところで、照射範囲ＳＡ３１の周部は、中央部に比べて照度が低下してしまう。一方、発光装置２００１を自動車のヘッドライトに適用する場合、道路側方から道路中央部に飛び出してくる物体の視認性が重要となる。従って、照射範囲ＳＡ３１を道路中央部に設定すると、道路側方に相当する照射範囲ＳＡ３の周部に存在する物体の視認性向上が求められる。言い換えれば、照度が低下してしまう照射範囲ＳＡ３１の周部の視認性向上が要求されている。
【課題を解決するための手段】
【０００７】
本発明は、上記事由に鑑みてなされたものであり、照射範囲内に存在する物体の視認性を向上させることができる発光装置を提供することを目的とする。
そのため、本発明に係る発光装置は、基板と、第１発光部と、第２発光部とを備える。第１発光部は、基板上に配置され且つ第１色温度の光を第１照射範囲に向かって出射する。第２発光部は、基板上に配置され且つ第１色温度よりも高い第２色温度の光を、第１照射範囲の少なくとも一部と重複し且つ第１照射範囲の外延部の少なくとも一部を含む第２照射範囲に向かって出射する。
【発明の効果】
【０００８】
照度の低い照射範囲（暗視野となる照射範囲）に存在する物体の視認性は、当該照射範囲に照射される光の色温度によって異なる。そして、暗視野となる照射範囲に配される光の色温度が高いほど当該照射範囲内に存在する物体の視認性が向上するといういわゆるプルキンエ現象が一般的に知られている。
これに対して、本構成によれば、第１照射範囲の外延部の少なくとも一部を含む第２照射範囲に第１色温度よりも高い第２色温度の光が配される。従って、前述のプルキンエ現象により、第２照射範囲ＳＡ２のうち第１照射範囲ＳＡ１と重ならない照射範囲に存在する物体の視認性を向上させることができる。
【図面の簡単な説明】
【０００９】
【図１】実施の形態１に係る発光装置の斜視図である。
【図２】実施の形態１に係る発光装置における、（ａ）は、要部平面図、（ｂ）は、（ａ）におけるＡ−Ａ線で破断した断面図、（ｃ）は、（ａ）におけるＢ−Ｂ線で破断した断面図である。
【図３】実施の形態１に係る発光装置の配光特性を説明するための図である。
【図４】実施の形態２に係るヘッドライトを示し、（ａ）は、一部破断した斜視図、（ｂ）は、断面図である。
【図５】実施の形態２に係るヘッドライトの回路図である。
【図６】実施の形態２に係るヘッドライトの配光特性を説明するための図である。
【図７】実施の形態２に係るヘッドライトの動作シミュレーションの内容を説明するための図である。
【図８】実施の形態２に係るヘッドライトの動作シミュレーションを説明するための色度図である。
【図９】実施の形態２に係るヘッドライトの動作シミュレーションを行った結果を示す図である。
【図１０】実施の形態２に係るヘッドライトの動作シミュレーションの内容を説明するための図である。
【図１１】実施の形態２に係るヘッドライトの動作シミュレーションの結果を示す図である。
【図１２】変形例に係る発光装置の要部平面図である。
【図１３】変形例に係る発光装置の要部平面図である。
【図１４】変形例に係る発光装置を示し、（ａ）は、要部斜視図、（ｂ）は、（ａ）におけるＣ−Ｃ線で破断した要部断面図である。
【図１５】変形例に係る発光装置を示し、（ａ）は、要部斜視図、（ｂ）は、（ａ）におけるＤ−Ｄ線で破断した要部断面図である。
【図１６】変形例に係る発光装置を示し、（ａ）は、要部斜視図、（ｂ）は、（ａ）におけるＥ−Ｅ線で破断した要部断面図である。
【図１７】変形例に係る発光装置の要部断面図である。
【図１８】変形例に係る照明システムについて、（ａ）一部破断した斜視図であり、（ｂ）は発光装置の斜視図である。
【図１９】変形例に係る照明システムの配光特性を説明するための図である。
【図２０】従来例に係る発光装置の配光特性を説明するための図である。
【発明を実施するための形態】
【００１０】
＜実施の形態１＞
以下、本実施の形態に係る発光ユニット１について図１乃至図３を用いて説明する。
＜１＞構成
本実施の形態に係る発光ユニット１の斜視図を図１に示す。また、発光ユニット１における要部平面図を図２（ａ）に示し、図２（ａ）におけるＡ−Ａ線で破断した断面図を図２（ｂ）に示し、図２（ａ）におけるＢ−Ｂ線で破断した断面図を図２（ｃ）に示す。
【００１１】
図１に示すように、発光ユニット１は、発光装置（ＬＥＤモジュール）と、伝熱板４０と、配線基板５０とを備える。ここで、発光装置は、実装用基板１０と、第１発光部２０と、第２発光部３０とを備える。
＜１−１＞伝熱板
伝熱板４０は、照明器具等に固定され、第１発光部２０および第２発光部３０から伝導してきた熱を照明器具に伝達することにより、第１発光部２０および第２発光部３０の温度上昇を抑制するものである。このように、第１発光部２０および第２発光部３０の温度上昇を抑制することにより、第１発光部２０および第２発光部３０の発光効率の低下を抑制することができる。
【００１２】
図１に示すように、伝熱板４０は、矩形板状に形成されており、厚み方向における一面側に実装用基板１０が固着されている。また、伝熱板４０の平面視において、伝熱板４０の中央部を挟んで対向する２辺それぞれに沿って互いに大きさの異なる貫通孔４２ａ，４２ｂが形成されている。ここで、貫通孔４２ａは、当該発光ユニット１が搭載した照明装置の本体部に発光ユニット１を螺子止め固定するための固定用螺子を挿通するためのものである。また、貫通孔４２ｂは、照明装置の製造時において、照明装置の本体部における発光ユニット１の取付位置を認識するためのものである。具体的には、照明装置の本体部に予め発光ユニット１の取付位置に目印を付しておき、その後、伝熱板４０の上記一面側から貫通孔４２ｂを通じて上記目印が視認できる状態となるように発光ユニット１をセットする。そして、各貫通孔４２ａに挿通された固定用螺子を照明装置の本体部に設けられた螺子孔に螺合させることにより、発光ユニット１が照明装置の本体部における所望の位置に固定される。
【００１３】
＜１−２＞配線基板
配線基板５０は、第１発光部２０および第２発光部３０へ給電するための配線パターン５４を有する基板である。
図１に示すように、配線基板５０は、矩形板状の絶縁性基材５６と、絶縁性基材５６の伝熱板４０側とは反対側の一面に形成された配線パターン５４と、絶縁性基材５６の上記一面の一部を覆う反射膜５８とを備える。
【００１４】
絶縁性基材５６は、矩形板状に形成され、中央部に平面視矩形状の窓部５２ａを有し、伝熱板４０の貫通孔４２ａ，４２ｂに対応する部位それぞれに貫通孔５３ａ，５３ｂが形成されている。絶縁性基材５６は、例えば、ガラスエポキシ樹脂やビスマレイミドトリアジン樹脂等の絶縁性材料から形成されている。
配線パターン５４は、配線基板５０の４つの角部それぞれの近傍に配置された平面視矩形状の電極パッド５４ａと、各電極パッド５４ａから窓部５２ａの外延部にまで延出した延出部５４ｂとからなる。ここで、延出部５４ｂは、反射膜５８に覆われた第１部位５４ｃと、反射膜５８に覆われず外部に露出した第２部位５４ｄとからなる。この配線パターン５４は、例えば、Ｃｕ膜上にＡｕ膜をフラッシュめっきにより積層することにより形成される。なお、配線パターン５４は、Ｃｕ膜とＡｕ膜とからなる積層構造に限らず、Ｃｕ膜或いはＡｌ膜からなるものであってもよい。
【００１５】
反射膜５８は、第１発光部２０および第２発光部３０から出射した光を反射する。反射膜５８は、例えば、ＢａＳＯ4等の白色顔料の基となる無機材料を含有したレジスト材料から形成されている。
また、図２（ｂ）および（ｃ）に示すように、配線基板５０は、接着シート５９により伝熱板４０に固着されている。この接着シート５９としては、例えば、エポキシ樹脂中にシリコーンゴム、アルミナやシリカ等を分散してなるシート状のものがある。
【００１６】
＜１−３＞実装用基板
実装用基板１０は、第１発光部２０および第２発光部３０の一部を構成するＬＥＤチップ２２，３２（図２参照）を実装するための基板である。図１に示すように、実装用基板１０は、全体として概ね矩形板状の形状を有する。実装用基板１０は、矩形板状の絶縁性基材１１と、導体パターン１２，１４と、絶縁性基材１１の導体パターン１２，１４を除く部位全体を覆う反射膜１８とからなる。
【００１７】
また、実装用基板１０上の導体パターン１２，１４と、配線基板５０の配線パターン５４の第２部位５４ｄとは、金属ワイヤ６０を介して電気的に接続されている。そして、各金属ワイヤ６０は、封止部材６２により封止されている。ここで、金属ワイヤ６０は、ＡｕやＡｌ等の材料から形成されている。また、封止部材６２は、シリコーン樹脂等の電気的絶縁性を有する樹脂材料から形成されている。
【００１８】
実装用基板１０は、熱伝導性がよく且つ電気的絶縁性のよい材料である窒化アルミニウムから形成されている。なお、実装用基板１０の材料は、窒化アルミニウムに限られず、例えば、酸化珪素等の電気的絶縁性のよい材料から形成してもよいし、ゲルマニウムやシリコン、窒化珪素、アルミナセラミックス等を用いたものであってもよい。導体パターン１２，１４は、例えば、Ｓｎ、Ａｇ、Ｃｕを含む合金等の金属材料からなる。なお、導体パターン１２，１４の材料は、金属材料に限られず、例えば、ポリシリコン等の導電性材料から形成してもよい。反射膜１８は、第１発光部２０および第２発光部３０から出射した光を反射する。また、枠体１６は、白色のポリカーボネート樹脂等の樹脂材料から形成されている。
【００１９】
ここにおいて、枠体１６の内側に配置されたＬＥＤチップ２２，３２から出射した光の一部は、反射膜１８或いは枠体１６の内壁で反射される。
また、図２（ｂ）および（ｃ）に示すように、実装用基板１０は、接着シート１９により伝熱板４０に固着されている。この接着シート１９としては、例えば、エポキシ樹脂中にシリコーンゴムやアルミナ、シリカ等を分散してなるシート状のものがある。
【００２０】
＜１−４＞第１発光部
第１発光部２０は、第１色温度の光を出射する。ここで、第１色温度の光とは、色温度が２０００Ｋ以上５５００Ｋ以下の範囲の白色光であり、本実施の形態では例えば３０００Ｋとする。
図２（ａ）に示すように、第１発光部２０は、実装用基板１０上における第１領域ＡＲ１に配置されている。
【００２１】
第１発光部２０は、実装用基板１０上における第１領域ＡＲ１に配設された複数（図２（ａ）では１８個）のＬＥＤチップ２２と、この１８個のＬＥＤチップを覆うように配置された第１波長変換部材２４とを備える。
ＬＥＤチップ２２は、第１波長領域（４００ｎｍ以上４８０ｎｍ以下）の光（以下、「青色光」と称する。）を発する。このようなＬＥＤチップ２２としては、例えば、サファイヤ等からなる半導体基板上にｎ型窒化ガリウム系化合物半導体層、インジウムを含有する窒化ガリウム系化合物半導体からなる発光層、ｐ型窒化ガリウム系化合物半導体層を順に積層してなるものがある。このＬＥＤチップ２２は、例えば、矩形板状に形成され、大きさが約１ｍｍ角、厚み約１００μｍに形成されたものがあるが、大きさはこれに限定されるものではない。
【００２２】
また、ＬＥＤチップ２２は、アノード電極およびカソード電極の両方がｐ型窒化ガリウム系化合物半導体層側の一面に形成されている。そして、ＬＥＤチップ２２は、実装用基板１０に形成された導体パターン１２の一部に、Ａｕバンプ等の金属バンプ（図示せず）を用いてフリップチップ実装されている。
第１波長変換部材２４は、ＬＥＤチップ２２から出射される青色光の一部を当該青色光の波長領域よりも長波長側にある第２波長領域（５４５ｎｍ乃至５９５ｎｍの範囲内で、本実施の形態では、例えば、５６０ｎｍ）の光（以下、「黄色光」と称する。）に変換する。具体的には、第１波長変換部材２４は、ＬＥＤチップ２２から出射される青色光を吸収して黄色光を放射可能な黄色蛍光体を矩形板状の透光性基材に分散させたものである。ここで、黄色蛍光体は、例えば、珪酸塩蛍光体たる（Ｓｒ，Ｂａ）2ＳｉＯ4：Ｅｕ2+、Ｓｒ3ＳｉＯ5：Ｅｕ2+からなる。なお、黄色蛍光体としては、珪酸塩系の蛍光体に限らず、例えば、ガーネット蛍光体たる（Ｙ，Ｇｄ）3Ａｌ5Ｏ12：Ｃｅ3+、Ｙ3Ａｌ5Ｏ12：Ｃｅ3+、Ｙ3Ａｌ5Ｏ12：Ｃｅ3+，Ｐｒ3+、Ｔｂ3Ａｌ5Ｏ12：Ｃｅ3+、硫化物蛍光体であるチオガレート蛍光体たるＣａＧａ2Ｓ4：Ｅｕ2+、α−サイアロン蛍光体たるＣａ−α−ＳｉＡｌＯＮ：Ｅｕ2+、（０．７５（Ｃａ0.9Ｅｕ0.1）Ｏ・２．２５ＡｌＮ・３．２５Ｓｉ3Ｎ4：Ｅｕ2+、Ｃａ1.5Ａｌ3Ｓｉ9Ｎ16：Ｅｕ2+など）、酸窒化物蛍光体たるＢａ3Ｓｉ6Ｏ12Ｎ2：Ｅｕ2+、窒化物蛍光体たる（Ｃａ，Ｓｒ，Ｂａ）ＡｌＳｉＮ3：Ｅｕ2+を好適に用いることができる。
【００２３】
また、透光性基材は、例えば、シリコーン樹脂等の透光性材料からなる。なお、透光性材料としては、シリコーン樹脂に限らず、フッソ樹脂、シリコーン・エポキシのハイブリッド樹脂、ユリア樹脂等を用いてもよい。
この第１発光部２０は、第１波長変換部材２４を通過する青色光および黄色光を混合してなる第１色温度の光を出射する。
【００２４】
＜１−５＞第２発光部
第２発光部３０は、第１色温度よりも高い第２色温度の光を出射する。ここで、第２色温度の光とは、色温度が５５００Ｋよりも大きく２００００Ｋ以下の範囲内の白色光であり、本実施の形態では、例えば８０００Ｋとする。
図２（ａ）に示すように、第２発光部３０は、実装用基板１０上における第１領域ＡＲ１の外延部であって、第１領域ＡＲ１の中央部を挟む第１領域ＡＲ１の両側の第２領域ＡＲ２に配置されている。第２発光部３０は、実装用基板１０上における第２領域ＡＲ２に配設された複数（図２（ａ）では６個）のＬＥＤチップ３２と、当該６個のＬＥＤチップ３２を覆うように配置された第２波長変換部材３４とを備える。ＬＥＤチップ３２は、ＬＥＤチップ２２と同一の構成を有する。
【００２５】
第２波長変換部材３４は、ＬＥＤチップ２２から出射される青色光の一部を当該青色光の波長領域よりも長波長側にあり、黄色光の波長領域より短波側にある第３波長領域（５００ｎｍ乃至５４０ｎｍの範囲内で、本実施の形態では、例えば、５３０ｎｍ）の光（以下、「緑色光」と称する。）に変換する。具体的には、第２波長変換部材３４は、ＬＥＤチップ２２から出射される青色光を吸収して緑色光を放射可能な緑色蛍光体を透光性材料から形成された矩形板状の基材に分散させたものである。ここで、緑色蛍光体としては、例えば、アルミン酸塩蛍光体たるＢａＭｇＡｌ10Ｏ17：Ｅｕ2+，Ｍｎ2+、（Ｂａ，Ｓｒ，Ｃａ）Ａｌ2Ｏ4：Ｅｕ2+、（Ｂａ，Ｓｒ）2ＳｉＯ4：Ｅｕ2+を用いている。なお、緑色蛍光体としては、アルミン酸塩蛍光体に限らず、例えば、α−サイアロン蛍光体たるＳｒ1.5Ａｌ3Ｓｉ9Ｎ16：Ｅｕ2+、Ｃａ−α−ＳｉＡｌＯＮ：Ｙｂ2+、β−サイアロン蛍光体たるβ−Ｓｉ3Ｎ4：Ｅｕ2+、酸窒化物蛍光体たるＢａ3Ｓｉ6Ｏ12Ｎ2：Ｅｕ2+、オクソニトリドシリケートたる（Ｂａ，Ｓｒ，Ｃａ）Ｓｉ2Ｏ2Ｎ2：Ｅｕ2+、オクソニトリドアルミノシリケートたる（Ｂａ，Ｓｒ，Ｃａ）2Ｓｉ4ＡｌＯＮ7：Ｃｅ3+、（Ｂａ，Ｓｒ，Ｃａ）Ａｌ2-xＳｉxＯ4-xＮx：Ｅｕ2+、(０＜ｘ＜２)、窒化物蛍光体であるニトリドシリケートたる（Ｂａ，Ｓｒ，Ｃａ）2Ｓｉ5Ｎ8：Ｃｅ3+、硫化物蛍光体であるチオガレートたるＳｒＧａ2Ｓ4：Ｅｕ2+、ガーネット蛍光体であるＣａ3Ｓｃ2Ｓｉ3Ｏ12：Ｃｅ3+、ＢａＹ2ＳｉＡｌ4Ｏ12：Ｃｅ3+、Ｙ3（Ａｌ，Ｇａ）5Ｏ12：Ｃｅ3+、酸化物蛍光体たるＣａＳｃ2Ｏ4：Ｃｅ3+を好適に用いることができる。
【００２６】
また、基材としては、第１波長変換部材２４と同様に、例えば、シリコーン樹脂等を用いることができる。また、第２波長変換部材３４内における蛍光体の含有率は、第１波長変換部材２４に比べて小さくなっている。これにより、第２波長変換部材３４における青色光の変換率は、第１波長変換部材２４における青色光の変換率よりも低くなっている。
この第２発光部３０は、第２波長変換部材３４を通過する青色光と緑色光とを混合してなる第２色温度の光を出射する。また、第２波長変換部材３４における青色光の変換率は、第１波長変換部材２４における青色光の変換率よりも低くなっているので、その分、第２発光部３０は、青みがかった光、即ち、色温度の高い光を出射することができる。
【００２７】
これら第１発光部２０および第２発光部３０は、実装用基板１０の略中央部に配設されている。そして、第１発光部２０の光軸は、第２発光部３０の光軸に対して平行である。また、実装用基板１０上において、第１発光部２０および第２発光部３０の外延部を囲繞する形で、矩形枠状の枠体１６が配設されている。
また、枠体１６と、第１波長変換部材２４および第２波長変換部材３４と、実装用基板１０とで囲まれた領域には、ＬＥＤチップ２２，３２の隙間を埋めるように光学部材１７が配置されている。この光学部材１７は、シリコーン樹脂等の透光性材料から形成されている。
【００２８】
なお、第２発光部３０の一部を構成するＬＥＤチップ３２の個数は、第１発光部２０の一部を構成するＬＥＤチップ３２の個数が３個に対して１個ずつとしてもよい。また、ＬＥＤチップ２２，３２の個数の合計は最大５０個程度となるようにすればよい。
また、第１発光部２０の第１波長変換部材２４および第２発光部３０の第２波長変換部材３４のいずれもが、緑色蛍光体と橙色蛍光体とを含有するものであってもよい。この場合、第１波長変換部材２４の緑色蛍光体と橙色蛍光体との含有比率と、第２波長変換部材３４の緑色蛍光体と橙色蛍光体との含有比率とを異ならせることにより、第１発光部２０から出射される光と第２発光部３０から出射される光とで色温度の違いを生じさせることができる。ここで、橙色蛍光体としては、例えば、珪酸塩蛍光体たる（Ｓｒ，Ｃａ）2ＳｉＯ4：Ｅｕ2+を用いている。なお、橙色蛍光体としては、珪酸塩蛍光体に限らず、例えば、ガーネット蛍光体たるＧｄ3Ａｌ5Ｏ12：Ｃｅ3+、α−サイアロン蛍光体たるＣａ−α−ＳｉＡｌＯＮ：Ｅｕ2+を好適に用いることができる。
【００２９】
例えば、第１発光部２０から出射される光の色温度を３０００Ｋとしたい場合、緑色、橙色蛍光体がいずれも珪酸塩系であるとすれば、第１波長変換部材２４は、緑色蛍光体と橙色蛍光体とが４８：５２の比率で含有するようにし、更に、緑色、橙色蛍光体の混合物がジメチル系シリコーン樹脂に濃度３１ｗｔ％で分散しているようにすればよい。
また、第２発光部３０から出射される光の色温度を８０００Ｋとしたい場合、緑色、橙色蛍光体がいずれも珪酸塩系であるとすれば、第２波長変換部材３４は、緑色蛍光体と橙色蛍光体とを８０：２０の比率で含有するようにし、更に、緑色、橙色蛍光体の混合物がジメチル系シリコーン樹脂に濃度２０ｗｔ％で分散しているようにすればよい。
【００３０】
＜２＞配光特性について
次に、本実施の形態に係る発光ユニット１の配光特性について説明する。
発光ユニット１の配光特性を説明するための図を図３（ａ）および（ｂ）に示す。なお、図３（ａ）における紙面に沿った右向きをＰ軸方向、紙面に直交し且つ紙面の手前に向かう方向をＱ軸方向とし、図３（ｂ）における紙面に沿った右向きをＰ軸方向、紙面に沿った上向きをＱ軸方向としている。そして、Ｑ軸方向が鉛直方向とは正反対の方向に一致している。
【００３１】
図３（ａ）に示すように、発光ユニット１の光軸Ｊ方向（光出射方向）において発光ユニット１から離間した位置に、光軸Ｊに直交するスクリーンＳＣを配置したとする。すると、図３（ｂ）に示すように、第１発光部２０から出射される光は、スクリーンＳＣ上における第１照射範囲ＳＡ１（縦横クロスハッチ部分）に照射され、第２発光部３０から出射される光は、スクリーンＳＣ上における第２照射範囲ＳＡ２（斜めクロスハッチ部分）に照射される。ここで、第２照射範囲ＳＡ２は、第１照射範囲ＳＡ１の一部と重複し、第１照射範囲ＳＡ１の外延部の一部を含んでいる。これにより、第２照射範囲ＳＡ２のうち、第１照射範囲ＳＡ１と重ならない照射範囲（以下、「第３照射範囲」と称する。）ＳＡ３は、第１照射範囲ＳＡ１内よりも色温度が高くなる。
【００３２】
また、第１照射範囲ＳＡ１は、第１発光部２０および第２発光部３０の並び方向（Ｐ軸方向）の長さが鉛直方向（Ｑ軸方向）の長さよりも長くなっている。これは、発光ユニット１が、第１発光部２０および第２発光部３０の並び方向が光軸Ｊ方向および鉛直方向に直交した状態で配置されており、第１発光部２０の形状が第１照射範囲ＳＡ１の形状に反映されているからである。
【００３３】
ところで、第１照射範囲ＳＡ１内および第２照射範囲ＳＡ２内における発光ユニット１からの距離は、第１照射範囲ＳＡ１の中央部が最も短く、第１照射範囲ＳＡ１の周部や第３照射範囲ＳＡ３では、第１照射範囲ＳＡ１の中央部に比べて長くなっている。一方、第１照射範囲ＳＡ１内や第２照射範囲ＳＡ２内の照度は、発光ユニット１からの距離の２乗に略比例して低くなる。従って、第１照射範囲ＳＡ１の周部や第３照射範囲ＳＡ３の照度は、第１照射範囲ＳＡ１の中央部の照度に比べて低くなっている。
【００３４】
また、人の目は、明るい場所（明視野下）では赤みがかった色が鮮かに見えるのに対して、青みがかった色は黒ずんで見える。一方、暗い場所（暗視野下）では青色が鮮かに見えるのに対して、赤色は黒ずんで見える。つまり、人の目は、暗視野下において青みがかった色、即ち、色温度の高い色に敏感になる。このような明視野下と暗視野下とで人の目の視感度がずれる現象は、プルキンエ現象として一般的に知られている。
【００３５】
これに対して、発光ユニット１では、照度の低い第１照射範囲ＳＡ１の周部や第３照射範囲ＳＡ３、即ち、暗視野となる範囲に照射される光の色温度を高くすることができるので、その分、第１照射範囲ＳＡ１の周部や第３照射範囲ＳＡ３に存在する物体の視認性を向上させることができる。
従って、発光ユニット１を、例えば、自動車のヘッドライト用途に使用する場合、ヘッドライトの第１照射範囲ＳＡ１が道路の中央部前方になるように設定すれば、第１照射範囲ＳＡ１の周部や第３照射範囲ＳＡ３は道路の左右前方に設定される。すると、第１照射範囲ＳＡ１の外側から第３照射範囲ＳＡ３を通って第１照射範囲ＳＡ１の内側に進入してくる物体の視認性が向上する。これにより、道路の側方から道路内に飛び出してくる物体との衝突事故を防止することができる。
【００３６】
＜３＞まとめ
結局、本実施の形態に係る発光ユニット１では、第１照射範囲ＳＡ１の外延部の一部を含む第２照射範囲ＳＡ２に第１色温度よりも高い第２色温度の光が配される。従って、前述のプルキンエ現象により、第２照射範囲ＳＡ２のうち第１照射範囲ＳＡ１と重ならない第３照射範囲ＳＡ３に存在する物体の視認性を向上させることができる。従って、発光ユニット１を、例えば、自動車のヘッドライト用途に使用する場合、ヘッドライトの第１照射範囲ＳＡ１の外側から、第３照射範囲ＳＡ３を通って、第１照射範囲ＳＡ１の内側に進入してくる物体の視認性が向上するので、自動車と当該物体との衝突事故を防止することができる。
＜実施の形態２＞
以下、本実施の形態に係る照明システムである車載用ヘッドライト（以下、単に「ヘッドライト」と称する。）１００１について図４乃至図１０を用いて説明する。
【００３７】
ヘッドライト１００１における、一部破断した斜視図を図４（ａ）に示し、断面図を図４（ｂ）に示す。なお、図４（ｂ）において、直線Ｊはヘッドライト１００１の光軸を示している。
ヘッドライト１００１は、発光ユニット１と、ハウジング１０１０と、反射板１０２０と、遮光板１０２５と、投影レンズ１０３０と、電源装置１０４０と、遮光板１０２５を支持する支持部材１０５０とを備える。ここで、発光ユニット１は、実施の形態１で説明した構成と同一であるので、詳細な説明は省略する。
【００３８】
ハウジング１０１０は、本体部１０１１と、蓋体１０１２とからなる。本体部１０１１は、円筒状部１０１１ａと、円筒状部１０１１ａの中心軸方向における一端部から他端部に向かって延長された第１壁１０１１ｂと、第１壁１０１１ｂの上記他端部側の端部から円筒状部１０１１ａの中心軸方向に直交する方向に沿って延出した第２壁１０１１ｃとを備える。ここで、円筒状部１０１１ａの中心軸は、ヘッドライト１００１の光軸Ｊに一致している。また、第１壁１０１１ｂおよび第２壁１０１１ｃにより、円筒状部１０１１ａ内部が第１領域Ｓ１および第２領域Ｓ２に区切られている。更に、第１壁１０１１ｂは、その第１領域Ｓ１側の平面１０１１ｅが光軸Ｊを含む形で配置されている。第１領域内には、発光ユニット１、反射板１０２０および遮光板１０２５が配置されている。そして、発光ユニット１は、第１壁１０１１ｂの平面１０１１ｅ上に配設されている。第２領域Ｓ２には、電源装置１０４０と支持部材１０５０とが配置されている。また、第２壁１０１１ｃには、開口部１０１１ｄが形成されており、第２領域Ｓ２に配置された支持部材１０５０の一部が開口部１０１１ｄを通じて第１領域Ｓ１内に延出している。蓋体１０１２は、円板状に形成され円筒状部１０１１ａの中心軸方向における上記一端側の開口を閉塞している。
【００３９】
反射板１０２０は、いわゆるハーフシェルリフレクタであり、発光ユニット１から出射された光を光軸Ｊ上におけるヘッドライト１００１の前方の対象領域に向かって反射する。この反射板１０２０は、内周面が回転楕円体の一部を切り取った形状をしており、当該回転楕円体の２つの焦点がヘッドライト１００１の光軸Ｊ上に位置するように配置されている。即ち、上記回転楕円体の長軸と光軸Ｊとが略一致している。そして、発光ユニット１は、第１壁１０１１ｂの平面１０１１ｅ上における、上記回転楕円体の２つの焦点のうち蓋体１０１２に近い側の第１焦点に第１発光部２０が位置するように配置されている。これにより、発光ユニット１（第１発光部２０）から出射され反射板１０２０の内周面で反射された光は、上記回転楕円体の２つの焦点のうち第１焦点とは異なる第２焦点に向かって進行する。ところで、反射板１０２０を光軸Ｊを含む平面で切断したときの内周面の形状について、式（１）の関係式が成立する。
【００４０】
【数１】
2013232634.tif 000003
【００４１】
ここで、（ｘ，ｙ）は、反射板１０２０の内周面上に位置する点の座標を示し、ａは、上記回転楕円体の長軸の半分の長さ、ｂは、上記回転楕円体の短軸の半分の長さを示す。そして、光軸Ｊ方向における、発光ユニット１の位置（第１焦点の位置）と反射板１０２０の内周面との間の距離Ｌ０１は、式（２）で表すことができる。
【００４２】
【数２】
2013232634.tif 000004
【００４３】
遮光板１０２５は、黒色の平板から形成されている。この遮光板１０２５は、ハウジング１０１０の第２領域Ｓ２に配置された支持部材１０５０のうち第１領域Ｓ１内に延出した部位に固定された状態で、支持部材１０５０により支持されている。この遮光板１０２５は、光軸Ｊ方向における上記回転楕円体の２つの焦点の間に位置している。即ち、光軸Ｊ方向における、遮光板１０２５と反射板１０２０の内周面との間の距離Ｌ０２について、式（３）の関係式が成立する。
【００４４】
【数３】
2013232634.tif 000005
【００４５】
そして、遮光板１０２５の一部が、第１壁１０１１ｂの上記他端部側の端縁から第２壁１０１１ｃの延出方向とは反対の方向に突出している。これにより、発光ユニット１から出射し反射板１０２０で反射され第２焦点に向かう光の一部を遮蔽することができる。なお、支持部材１０５０が遮光板１０２５の位置を変更できる機能を有しており、遮光板１０２５の一部の突出量を調整できるようにしてもよい。この構成の場合、遮光板１０２５の一部の突出量を調整することにより、ヘッドライト１００１の配光特性を自由に変更できるという利点がある。
【００４６】
投影レンズ１０３０は、反射板１０２０で反射された光を集光する機能を有する。この投影レンズ１０３０は、片凸レンズからなり、円筒状部１０１１ａの中心軸方向における上記他端側の開口を覆うように取着されている。この投影レンズ１０３０は、光軸Ｊ方向に直交し上記回転楕円体の２つの焦点それぞれを含む２つの仮想平面で挟まれた領域の外側の領域であって、発光ユニット１側とは反対側の領域に位置している。即ち、光軸Ｊ方向における、投影レンズ１０３０と発光ユニット１との間の距離Ｌ１０について、式（４）の関係式が成立する。
【００４７】
【数４】
2013232634.tif 000006
【００４８】
この投影レンズ１０３０と反射板１０２０とから、発光ユニット１から出射された光を光軸Ｊに沿った方向におけるヘッドライト１００１の前方の対象領域に配光する配光手段を構成している。
電源装置１０４０は、発光ユニット１に２本の電源線１０４２を介して電気的に接続されており、発光ユニット１に直流電力を供給する。
【００４９】
図４（ｂ）に示すように、ヘッドライト１００１では、発光ユニット１から出射した光の一部Ｒａ１，Ｒａ２が、反射板１０２０に照射される。そして、反射板１０２０で反射した光の一部Ｒａ１は、投影レンズ１０３０に入射し、投影レンズ１０３０内部を通過して外部に出射する。一方、反射板１０２０で反射した光のうち、第１壁１０１１ｂの平面１０１１ｅに直交する面内における光軸Ｊとのなす角度が比較的小さい光Ｒａ２は、遮光板１０２５により遮蔽され、投影レンズ１０３０側に進行しない。このように、遮光板１０２５が、反射板１０２０で反射された光のうち、第１壁１０１１ｂの平面１０１１ｅに直交する面内における光軸Ｊとのなす角度が比較的小さい光一部を遮蔽することにより、光軸Ｊに沿った方向に出射される光量を制限することができる。
【００５０】
次に、ヘッドライト１００１の回路構成について説明する。
ヘッドライト１００１の回路図を図５に示す。
発光ユニット１は、第１発光部２０と第２発光部３０とがそれぞれ別個の回路から構成されている。第１発光部２０は、３つのＬＥＤチップ２２からなる直列回路を更に６つ並列に接続してなる回路から構成され、第２発光部３０は、３つのＬＥＤチップ３２からなる直列回路を２つ並列に接続してなる回路から構成されている。
【００５１】
電源装置１０４０は、発光ユニット１における第１発光部２０を構成する回路に電力を供給する第１電源回路１０４４と、第２発光部３０を構成する回路に電力を供給する第２電源回路１０４６とを備える。この第１電源回路１０４４および第２電源回路１０４６は、例えば、外部のバッテリ等の電源から供給される直流電圧を昇圧して出力する昇圧チョッパ回路等から構成されている。このように、電源装置１０４０が、第１発光部２０および第２発光部３０それぞれを構成する回路に対して、互いに独立に電力を供給できる構成となっている。なお、第１電源回路１０４４および第２電源回路１０４６は、降圧回路や昇降圧回路、フライバックコンバータ等他の直流電圧変換回路から構成されていてもよい。従って、第２発光部３０を消灯状態で維持し、第１発光部２０のみを点灯状態で維持したり、或いは、第１発光部２０を消灯状態で維持し、第２発光部３０のみを点灯状態で維持したりすることができる。これにより、ヘッドライト１００１の配光特性を自由に変更することができるという利点がある。
【００５２】
例えば、第１発光部２０の発光色を黄みがかった白色光とし、第２発光部３０の発光色を青みがかった白色光とする。そうすると、第２発光部３０を点灯消灯を切り替えることにより、使用態様をフォグランプと通常のヘッドライトとで切り替えることが可能となる。
次に、本実施の形態に係るヘッドライト１００１の配光特性について説明する。
【００５３】
ヘッドライト１００１の配光特性を説明するための図を図６（ａ）および（ｂ）に示す。なお、図６（ｂ）における直線ＰＬ１は、ハウジング１０１０内の第１壁１０１１ｂが有する平面１０１１ｅおよび光軸Ｊを含む仮想平面を示している。また、図６（ａ）における紙面に沿った右向きをＰ軸方向、紙面に直交し且つ紙面の手前に向かう方向をＱ軸方向とし、図６（ｂ）における紙面に沿った右向きをＰ軸方向、紙面に沿った上向きをＱ軸方向としている。
【００５４】
図６（ａ）に示すように、ヘッドライト１００１の光軸Ｊ方向においてヘッドライト１００１から離間した位置に、光軸Ｊに直交するスクリーンＳＣを配置したとする。すると、図６（ｂ）に示すように、第１発光部２０から出射される第１色温度の光は、反射板１０２０および投影レンズ１０３０を経由してスクリーンＳＣ上における第１照射範囲ＳＡ２１（縦横クロスハッチ部分）に照射される。一方、第２発光部３０から出射される第１色温度よりも高い第２色温度の光は、反射板１０２０および投影レンズ１０３０を経由してスクリーンＳＣ上における第２照射範囲ＳＡ２２（斜めクロスハッチ部分）に照射される。これにより、第２照射範囲ＳＡ２２のうち、第１照射範囲ＳＡ２１と重ならない照射範囲（以下、「第３照射範囲」と称する。）ＳＡ２３は、第１照射範囲ＳＡ１内よりも色温度が高くなる。
【００５５】
また、第１照射範囲ＳＡ２１は、第１発光部２０および第２発光部３０の並び方向（Ｐ軸方向）の長さが鉛直方向（Ｑ軸方向）の長さよりも長くなっている。これは、発光ユニット１が、第１発光部２０および第２発光部３０の並び方向が光軸Ｊ方向および鉛直方向に直交した状態で配置されており、第１発光部２０の形状が第１照射範囲ＳＡ１の形状に反映されているからである。更に、光軸Ｊに沿った方向において、第１発光部２０および第２発光部３０の位置が、上記回転楕円体の第１焦点に一致している場合、第１発光部２０および第２発光部３０から出射された光の一部が、遮光板１０２５で遮蔽される。これにより、図６（ｂ）に示すように、第１発光部２０および第２発光部３０（ヘッドライト１００１）から出射された光は、仮想平面（カットオフライン）ＰＬ１よりも上方には照射されない。
【００５６】
ところで、第１照射範囲ＳＡ２１内および第２照射範囲ＳＡ２２内におけるヘッドライト１００１からの距離は、第１照射範囲ＳＡ２１の中央部が最も短く、第１照射範囲ＳＡ２１の周部や第３照射範囲ＳＡ２３では、第１照射範囲ＳＡ２１の中央部に比べて長くなっている。一方、第１照射範囲ＳＡ２１内や第２照射範囲ＳＡ２２内の照度は、ヘッドライト１００１からの距離の２乗に略比例して低くなる。従って、第１照射範囲ＳＡ２１の周部や第３照射範囲ＳＡ２３の照度は、第１照射範囲ＳＡ２１の中央部の照度に比べて低くなっている。
【００５７】
これに対して、ヘッドライト１００１では、照度の低い第１照射範囲ＳＡ２１の周部や第３照射範囲ＳＡ２３、即ち、暗視野となる範囲に照射される光の色温度を高くすることができるので、その分、第１照射範囲ＳＡ２１の周部や第３照射範囲ＳＡ２３に存在する物体の視認性を向上させることができる。
次に、ヘッドライト１００１について、動作シミュレーションを行った結果について説明する。
【００５８】
この動作シミュレーションの概要を説明する。ヘッドライト１００１の投影レンズ１０３０の頂部からヘッドライト１００１の光軸Ｊ方向に沿って距離Ｌ１１だけ離間した位置に光軸Ｊ方向に直交した状態でスクリーンＳＣを設置する。そして、ヘッドライト１００１（発光ユニット１）を点灯させたときのスクリーンＳＣ上の第１照射範囲ＳＡ１内における一点Ｐ１での色温度を計算した。この動作シミュレーションは、第１発光部２０および第２発光部３０が点光源であるとし、第１発光部２０から出射される光の色温度が３０００Ｋ、第２発光部３０から出射される光の色温度が８０００Ｋであるとした。
【００５９】
ヘッドライト１００１の動作シミュレーションの内容を説明するための図を図７（ａ）および（ｂ）に示す。図７（ａ）における紙面に直交し且つ紙面の手前に向かう方向をＰ軸方向、紙面に沿った上向きをＱ軸方向とし、図７（ｂ）における紙面に沿った右向きをＰ軸方向、紙面に直交し且つ紙面の手前に向かう方向をＱ軸方向としている。
動作シミュレーションでは、反射板１０２０の内周面が回転楕円体の一部を切り取った形状としているとし、その回転楕円体の長軸の長さが１００ｍｍ、短軸の長さが８０ｍｍであるとした。投影レンズ１０３０の焦点距離は、５０ｍｍ、第１発光部２０から投影レンズ１０３０までの距離Ｌ１０は、５０ｍｍとした。また、ヘッドライト１００１の光軸Ｊ方向における、投影レンズ１０３０の頂部からスクリーンＳＣまでの距離Ｌ１１は、４０ｍとした。
【００６０】
また、光軸ＪとＱ軸とを含む仮想面内における、光軸Ｊと、投影レンズ１０３０の頂部からスクリーンＳＣ上の点Ｐ１に至る直線とのなす角度θ１（図７（ａ）参照）は、５°に設定した。
そして、光軸Ｊ上に第１発光部２０が配置されるとともに、第１発光部２０の両側における、第１発光部２０からＰ軸方向に離間して第２発光部３０が配置された場合における、スクリーンＳＣ上の色温度の分布を計算した。
【００６１】
ここにおいて、スクリーンＳＣ上の点Ｐ１の色温度を次に示す２つの方法により計算した。第１の方法は、第１発光部２０と第２発光部３０との間の距離Ｌ１を２ｍｍに固定し、光軸ＪとＰ軸とを含む仮想面内における、光軸Ｊと投影レンズ１０３０の頂部からスクリーンＳＣ上の点Ｐ１に至る直線とのなす角度θ２（図７（ｂ）参照）を変化させたときの点Ｐ１における色温度を計算した。第２の方法は、角度θ２を２５°に固定し、第１発光部２０と第２発光部３０との間の距離Ｌ１を０ｍｍ乃至１０ｍｍの範囲内で変化させたときの点Ｐ１における色温度を計算した。
【００６２】
また、点Ｐ１における色温度を示す指標として、色度を用いた。
本実施の形態に係るヘッドライトの動作シミュレーションを説明するための色度図を図８に示す。図８中の直線は、等色温度線を示している。
図８から、色度Ｘ、Ｙが小さくなるほど、色温度が上昇する傾向にあることがわかる。
上記第１方法により動作シミュレーションを行った結果を図９（ａ）に示し、上記第２方法により動作シミュレーションを行った結果を図９（ｂ）に示す。
【００６３】
図９（ａ）に示すように、角度θ２が大きくなるほど色度Ｘ，Ｙがともに減少している。具体的には、角度θ２が０°の場合、色度（Ｘ，Ｙ）が（０．３５０，０．３４３）であるのに対して、角度θ２が±３０°の場合、色度（Ｘ，Ｙ）が（０．３２４，０．３２５）である。これを色温度に換算すると、角度θ２が０°の場合、４５００Ｋ乃至５０００Ｋであるのに対して、角度θ２が±３０°の場合、約６０００Ｋにまで上昇している（図８参照）。このように、第１照射範囲ＳＡ１の中央部の色温度に比べて、第１照射範囲ＳＡ１の外延部の色温度が高くなっていることがわかる。
【００６４】
また、図９（ｂ）に示すように、角度θ２を２５°に固定した場合、第１発光部２０と第２発光部３０とが重なっている場合の色度（Ｘ，Ｙ）が（０．４２２，０．３９７）であるのに対して、第１発光部２０と第２発光部３０との間の距離Ｌ１を２ｍｍ乃至８ｍｍとした場合、色度（Ｘ，Ｙ）が共に０．３１乃至０．３７程度になった。これを色温度に換算すると、第１発光部２０と第２発光部３０とが重なっている場合、３０００Ｋ乃至３５００Ｋであるのに対して、第１発光部２０と第２発光部３０との間の距離Ｌ１が２ｍｍ乃至８ｍｍの場合、５０００Ｋ乃至５５００Ｋにまで上昇している（図８参照）。
【００６５】
以上の動作シミュレーションの結果から判るように、第２発光部３０を第１発光部２０に対して光軸Ｊに直交する方向に２ｍｍ乃至８ｍｍずらすことにより、第１発光部２０の第１照射範囲ＳＡ１の外延部の色温度の上昇を図ることができる。
ところで、ヘッドライト１００１から出射される光の一部を道路上方（図６（ｂ）におけるＱ軸に沿った上方に向かう方向）に進行させることができれば、例えば、道路の上方に設置された道路標識を視認しやすくなる。そして、視認性向上の観点からすれば、道路上方に進行する光の色温度は高いほうがよい。
【００６６】
一方、前述のように、光軸Ｊに沿った方向において、第１発光部２０および第２発光部３０の位置が、上記回転楕円体の第１焦点に一致している限り、第１発光部２０および第２発光部３０から出射された光の両方は、仮想平面（カットオフライン）ＰＬ１よりも上方には照射されない（図６（ｂ）参照）。そこで、光軸Ｊ方向における、第２発光部３０の位置を工夫することにより、第２発光部３０から出射され反射板１０２０で反射された光を道路上方（図６（ｂ）におけるＱ軸に沿った上方に向かう方向）へ進行させる方法を検討した。
【００６７】
ヘッドライト１００１の動作シミュレーションの内容を説明するための図を図１０（ａ）および（ｂ）に示す。図１０（ａ）における紙面に直交し且つ紙面の手前に向かう方向をＰ軸方向、紙面に沿った上向きをＱ軸方向とし、図１０（ｂ）における紙面に沿った右向きをＰ軸方向、紙面に直交し且つ紙面の手前に向かう方向をＱ軸方向としている。
動作シミュレーションでは、反射板１０２０の内周面の形状、投影レンズ１０３０の焦点距離、第１発光部２０から投影レンズ１０３０までの距離Ｌ１０、光軸Ｊ方向における、投影レンズ１０３０の頂部からスクリーンＳＣまでの距離Ｌ１１については、図７を用いて説明した動作シミュレーションと同じ設定とした。
【００６８】
また、光軸ＪとＱ軸とを含む仮想面内における、光軸Ｊと、投影レンズ１０３０の頂部からスクリーンＳＣ上の点Ｐ２に至る直線とのなす角度θ３（図１０（ａ）参照）は、５°に設定した。
第２発光部３０から出射され反射板１０２０で反射された光を上方（図６（ｂ）におけるＱ軸方向に沿った上方）に進行させるためには、第２発光部３０が、少なくとも光軸Ｊ方向における第１発光部２０と反射板１０２０の内周面との間に配置されている必要がある。また、第２発光部３０から出射され反射板１０２０で一回反射された光を反射板１０２０外部に取り出すためには、光軸Ｊ方向における、反射板１０２０の内周面の長さＬ０３が少なくとも上記回転楕円体の長軸の半分の長さよりも短いことが必要である。そこで、動作シミュレーションでは、光軸Ｊ方向における、反射板１０２０の内周面の長さＬ０３が少なくとも上記回転楕円体の長軸の半分の長さよりも短いことを前提として、第２発光部３０が光軸Ｊ上における第１発光部２０と反射板１０２０の内周面との間に配置された場合におけるスクリーンＳＣ上の点Ｐ２における色温度（図１０（ａ）および（ｂ）参照）を計算した。
【００６９】
ここにおいて、スクリーンＳＣ上の点Ｐ２の色温度は、角度θ４を２５°に固定し、第１発光部２０と第２発光部３０との間の距離Ｌ２を０ｍｍ乃至−１０ｍｍの範囲内で変化させたときの点Ｐ２における色温度を計算した。ここで、距離Ｌ２は、光軸Ｊ上において投影レンズ１０３０に近づく方向を正とした。
図１０（ａ）および（ｂ）を用いて説明した方法により動作シミュレーションを行った結果を図１１に示す。
【００７０】
図１１に示すように、第１発光部２０と第２発光部３０との間の距離Ｌ２が０ｍｍ乃至−７ｍｍの間では、第２発光部３０から出射された光が点Ｐ２に到達しない。一方、距離Ｌ２が−７ｍｍ乃至−１０ｍｍの間では、第２発光部３０から出射された光の一部が点Ｐ２に到達する。
距離Ｌ２が０ｍｍ乃至−７ｍｍの間では、第２発光部３０から反射板１０２０に入射する光の入射角が比較的大きく、第２発光部３０から出射し反射板１０２０で反射された光全てが光軸Ｊ方向に向かって進行し、点Ｐ２に向かう方向に進行する光が存在しない。一方、距離Ｌ２が−７ｍｍ乃至−１０ｍｍの間では、第２発光部３０から反射板１０２０に入射する光の入射角が比較的小さくなり、第２発光部３０から出射し反射板１０２０で反射された光が光軸Ｊから離れる方向に向かって進行する光が生じ、その光の一部が点Ｐ２に到達する（図１０（ａ）中の一点鎖線参照）。
【００７１】
また、点Ｐ２に到達する光の色度（Ｘ，Ｙ）は、凡そ（０．２９５，０．３０５）である。これを色温度に換算すると、７５００Ｋ乃至８０００Ｋである。つまり、第２発光部３０を第１発光部２０に対して、光軸Ｊに沿った方向における投影レンズ１０３０から離れる方向に移動させることにより、第１照射範囲ＳＡ１のＱ軸に沿った上方に位置する照射範囲（以下、「第４照射範囲」と称する。）に比較的高い色温度（７５００Ｋ乃至８０００Ｋ）の光を照射することができる。
【００７２】
このように、第２発光部３０の位置を、第１発光部２０が配置される位置、即ち、反射板１０２０の有する回転楕円体状の内周面の第１焦点に一致する位置から光軸Ｊ方向において、反射板１０２０に近づく方向に離間して配置することにより、第２発光部３０から出射された比較的色温度の高い光の一部を、第１照射範囲ＳＡ１の上方の第４照射範囲に照射することができる。
【００７３】
この構成のヘッドライトであれば、ヘッドライトの第１照射範囲ＳＡ１が道路の中央部前方になるように設定すれば、第４照射範囲は道路の上前方に設定される。すると、第１照射範囲ＳＡ１の上前方に存在する物体の視認性が向上する。これにより、例えば、道路の上前方に設置された道路標識に比較的色温度の高い光を照射することができるので、夜間等の暗視野下における道路標識の視認性を向上させることができる。
＜変形例＞
（１）実施の形態１では、第１、第２波長変換部材２４，３４とで、内部に含有する蛍光体の種類を変えることにより、第１発光部２０から第１色温度の光を出射させ、第２発光部３０から第２色温度の光を出射させる発光装置１の例について説明した。但し、第１、第２波長変換部材２４，３４の構成は、これに限定されるものではない。
【００７４】
例えば、第２波長変換部材３４の波長変換率が、第１波長変換部材２４の波長変換率に比べて小さくすることにより、第１発光部２０から第１色温度の光を出射させ、第２発光部３０から第２色温度の光を出射させるようにしてもよい。
具体的には、第１、第２波長変換部材２４，３４のいずれもが、同種の黄色蛍光体を含有しており、第１波長変換部材２４の蛍光体含有率が３０ｗｔ％であるのに対して、第２波長変換部材３４の蛍光体含有率が１０ｗｔ％となるようにすればよい。ここにおいて、第１波長変換部材２４における波長変換率は、第２波長変換部材３４における波長変換率に比べて大きい。そして、第１発光部２０から出射される光が黄みがかった白色光であるのに対して、第２発光部３０から出射される光が青みがかった白色光となる。
【００７５】
（２）実施の形態１では、第２発光部３０が第２波長変換部材３４を有する発光装置１の例について説明した。但し、第２発光部３０は、第２波長変換部材３４の代わりに透明な光学部材（図示せず）を有するものであってもよい。この場合、ＬＥＤチップ３２から出射された青色光がそのまま外部に放射される。
（３）実施の形態１では、実装用基板１０が伝熱板４０に接着シート１９により接着されている例について説明したが、これに限定されるものではなく、例えば、実装用基板１０と伝熱板４０とが、Ｃｕ、Ａｌを含む接合材料により接合されてなるものであってもよい。
【００７６】
（４）実施の形態１では、第１発光部２０が、実装用基板１０上における第１領域ＡＲ１に配置され、第２発光部３０が、実装用基板１０上における第１領域ＡＲ１の中央部を挟む第１領域ＡＲ１の両側の第２領域ＡＲ２に配置されている発光装置１の例について説明した。但し、第１発光部２０および第２発光部３０の配置は、これに限定されるものではない。
【００７７】
本変形例に係る発光装置２０１乃至４０１を示す要部平面図を図１２および図１３に示す。
図１２（ａ）に示すように、発光装置２０１では、第１発光部２２０が、実装用基板２１０上における細長の第１領域ＡＲ２０１に配置され、第２発光部２３０が第１領域ＡＲ２０１の短手方向における両側の第２領域ＡＲ２０２に配置されている。この場合、第１発光部２２０から出射された光の第１照射範囲ＳＡ１の鉛直方向における両側の照射範囲に第２発光部２３０から出射された第１色温度よりも高い第２色温度の光が照射される。
【００７８】
本構成によれば、第１照射範囲ＳＡ１の鉛直方向における両側の照射範囲に第１色温度よりも高い第２色温度の光が配されることにより、暗視野となる第１照射範囲ＳＡ１の鉛直方向における両側の照射範囲内に存在する物体の視認性を向上させることができる。
また、図１２（ｂ）に示すように、発光装置３０１では、第２発光部３３０が配置される実装用基板３１０上の第２領域ＡＲ３０２が、実装用基板３１０上における、第１領域ＡＲ３０２の外延部において第１領域ＡＲ３０２を囲繞する矩形環状領域である。そして、第１領域ＡＲ３０２に第１発光部３２０が配置されている。この場合、第１発光部３２０から出射された光の第１照射範囲ＳＡ１の外延部全体に亘って第２発光部３３０から出射された第１色温度よりも高い第２色温度の光が照射される。
【００７９】
本構成によれば、第１照射範囲ＳＡ１の外延部全体に亘って第１色温度よりも高い第２色温度の光が配されることにより、暗視野となる第１照射範囲ＳＡ１の外延部における物体が存在する箇所に関わらず、当該物体の視認性を向上させることができる。
また、図１３（ａ）に示すように、発光装置４０１では、実装用基板４１０上における右下隅の矩形状の第２領域ＡＲ４０２に第２発光部４３０が配置され、第２領域ＡＲ４０２の外延部全体を覆う第１領域ＡＲ４０１に第１発光部４２０が配置されている。
【００８０】
ここで、発光装置４０１を有する発光ユニット（図示せず）の光軸方向（光出射方向、実装用基板４１０に直交する方向）において発光ユニットから離間した位置に、光軸に直交するスクリーンを配置したとする（図３（ａ）参照）。ここにおいて、発光装置４０１における、第１発光部４２０および第２発光部４３０が配設される面とスクリーンとが対向し且つ互いに略平行である。また、図３（ａ）において、第２発光部４３０が光軸に対して左側、即ち、Ｐ軸における負方向側に配置されている。すると、当該スクリーン上において、第１発光部４２０から出射された光の第１照射範囲ＳＡ１の左下隅近傍（図３（ｂ）と同じ座標系では、光軸に対してＰ軸における負方向側であって且つＱ軸における負方向側に相当する範囲）に第２発光部４３０から出射された光が照射される。
【００８１】
ところで、図４に示す構成のヘッドライト１００１の一部を構成する発光ユニット１を、本変形例に係る発光装置４０１を有する発光ユニットに置き換えたとする。ここにおいて、ヘッドライト１００１の光軸は、実装用基板４１０の主面に平行であり且つ導体パターン１２の延出方向が一致している。また、第２発光部４３０および導体パターン１２が光軸方向における蓋体１０１２側に位置するように配置されているとする。
【００８２】
ここで、ヘッドライト１００１の光軸方向においてヘッドライト１００１から離間した位置に、光軸に直交するスクリーンを配置したとする（図６（ａ）参照）。すると、第１発光部４２０から出射された光の第１照射範囲ＳＡ１の右上隅近傍（図６（ｂ）と同じ座標系では、光軸に対してＰ軸における正方向側であって且つＱ軸における正方向側に相当する範囲）に第２発光部４３０から出射された光が照射される。
【００８３】
また、図１３（ｂ）に示すように、発光装置５０１では、実装用基板５１０上における矩形状の第１領域ＡＲ５０１に第１発光部５２０が配置され、第１領域ＡＲ５０１の上側から右側に亘って連続するＬ字状の第２領域ＡＲ５０２に第２発光部５３０が配置されている。
ここで、発光装置５０１を有する発光ユニット（図示せず）の光軸方向（光出射方向、実装用基板５１０に直交する方向）において発光ユニットから離間した位置に、光軸に直交するスクリーンを配置したとする（図３（ａ）参照）。ここにおいて、発光装置５０１における、第１発光部５２０および第２発光部５３０が配設される面とスクリーンとが対向し且つ互いに略平行である。また、図３（ａ）において、第２発光部５３０が第１発光部５２０ｂの左側および上側で隣接する位置、即ち、第１発光部５２０のＰ軸における負方向側およびＱ軸における正方向側で隣接する位置に配置したとする。すると、第１発光部５２０から出射された光の第１照射範囲ＳＡ１の左側の範囲および第１照射範囲ＳＡ１の上側の範囲（図３（ｂ）と同じ座標系では、第１照射範囲ＳＡ１のＰ軸における負方向側の範囲および第１照射範囲ＳＡ１のＱ軸における正方向側の範囲）に第２発光部５３０から出射された光が照射される。
【００８４】
ところで、図１３（ｂ）に示す構成の発光装置５０１を、図４に示すヘッドライト１００１の一部を構成する発光ユニット１を、発光装置５０１を有する発光ユニットに置き換えたとする。ここにおいて、ヘッドライト１００１の光軸Ｊと導体パターン１２の延出方向とが一致しており、更に、第１発光部５２０および導体パターン１２が蓋体１０１２側に位置するように配置されているとする。
【００８５】
ここで、ヘッドライト１００１の光軸方向においてヘッドライト１００１から離間した位置に、光軸に直交するスクリーンを配置したとする（図６（ａ）参照）。すると、第１発光部５２０から出射された光の第１照射範囲ＳＡ１の右側の範囲および第１照射範囲ＳＡ１の下側の範囲（図６（ｂ）と同じ座標系では、第１照射範囲ＳＡ１のＰ軸における正方向側の範囲および第１照射範囲ＳＡ１のＱ軸における負方向側の範囲）に第２発光部５３０から出射された光が照射される。
【００８６】
（５）実施の形態１では、第１、第２波長変換部材２４，３４の厚みが同一であり、含有する蛍光体の種類が異なる発光装置１の例について説明した。但し、発光装置１のように、第１、第２波長変換部材２４，３４の厚みが同一の構成に限定されるものではない。
本変形例に係る発光装置６０１の要部斜視図を図１４（ａ）に示し、要部断面図を図１４（ｂ）に示す。なお、実施の形態１と同様の構成については、同一の符号を付して適宜説明を省略する。
【００８７】
発光装置６０１では、第２発光部６３０が、第２領域ＡＲ２（図２（ａ）参照）に配設されたＬＥＤチップ３２と、これらのＬＥＤチップ３２を覆うように配置され、第１波長領域の光の一部を第２波長領域の光に変換する第２波長変換部材６３４とを有する。そして、第２波長変換部材６３４の一部は、実装用基板１０上におけるＬＥＤチップ３２が配設される面に直交するＬＥＤチップ３２の主光出射方向における厚みが、第１波長変換部材２４の当該主光出射方向における厚みに比べて薄くなっている。そして、第２波長変換部材６３４の主光出射方向における厚みが、第１波長変換部材２４から離れる方向に漸減している。即ち、第２波長変換部材６３４のＬＥＤチップ３２側とは反対側の面６３４ａは、第１波長変換部材２４から離れるほどＬＥＤチップ３２側とは反対側への突出量が漸減する形で傾斜している。
【００８８】
ここで、第２発光部６３０の第１発光部２０および第２発光部６３０の並び方向における全長をＬ６１、第１波長変換部材２４の厚みをＴ６０、第２波長変換部材６３４のＬＥＤチップ３２側とは反対側の傾斜面６３４ａのＬＥＤチップ３２の配設面に対する傾斜角をφとする。すると、第１発光部２０と第２発光部６３０との境界部分から上記並び方向における第１発光部２０から離れる方向に距離Ｌ６２だけ離間した位置における第２波長変換部材６３４の主光出射方向における厚みＴ６３について、式（５）および式（６）の関係式が成立する。
【００８９】
【数５】
2013232634.tif 000007
【００９０】
【数６】
2013232634.tif 000008
【００９１】
ところで、第２波長変換部材６３４の波長変換率は、第２波長変換部材６３４の厚みに依存する。即ち、厚みが薄いほど波長変換率が減少し、その分、第２発光部６３０から出射される光は、青みがかった白色光となる。
式（５）および式（６）から判るように、第２波長変換部材６３４の傾斜面６３４ａの傾斜角φを適宜設定することにより、第２波長変換部材６３４の厚み分布を所望の分布に設定することができる。これにより、第２波長変換部材６３４の波長変換率の分布を所望の分布に設定することができ、その結果、所望の色温度の白色光を得ることができる。
【００９２】
他の変形例に係る発光装置７０１の要部斜視図を図１５（ａ）に示し、要部断面図を図１５（ｂ）に示す。なお、実施の形態１と同様の構成については、同一の符号を付して適宜説明を省略する。
発光装置７０１では、第１波長変換部材２４の厚みＴ７０に比べて第２波長変換部材７３４の厚みＴ７１が薄くなっている。
【００９３】
他の変形例に係る発光装置８０１の要部斜視図を図１６（ａ）に示し、要部断面図を図１６（ｂ）に示す。なお、実施の形態１と同様の構成については、同一の符号を付して適宜説明を省略する。
発光装置８０１では、実装用基板４１０上における右下隅の矩形状の第２領域ＡＲ８０２に第２発光部８３０が配置され、第２領域ＡＲ８０２の外延部全体を覆う第１領域ＡＲ８０１に第１発光部８２０が配置されている。そして、第１発光部８２０の第１波長変換部材８２４の厚みＴ８１に比べて第２発光部８３０の第２波長変換部材８３４の厚みＴ８２が薄くなっている。
【００９４】
（６）実施の形態１では、第１発光部２０および第２発光部３０において、いずれも第１波長領域の光を出射するＬＥＤチップ２２，３２を用いている。そして、第１波長変換部材２４により第１波長領域の光を変換してなる第２波長領域の光と、第２波長変換部材３４により第１波長領域の光を変換してなる第３波長領域の光とで、波長を異ならせることにより、２種類の色温度の光を出射する構成としている。但し、第１発光部２０で用いられるＬＥＤチップ２２が出射する光と、第２発光部３０で用いられるＬＥＤチップ３２が出射する光とで、波長領域を異ならせることにより、２種類の色温度の光を出射するようにしてもよい。
【００９５】
本変形例に係る発光装置９０１の要部断面図を図１７（ａ）に示す。なお、実施の形態１と同様の構成については同一の符号を付して適宜説明を省略する。
発光装置９０１は、実施の形態１と略同様の構成を有し、同一種類のＬＥＤチップ２２，３２の代わりにＬＥＤチップ９２２，９３２を備えるとともに、第１、第２波長変換部材２４，の代わりにＬＥＤチップ９２２，９３２を一括して封止する透光性材料を備える点が実施の形態１とは相違する。
【００９６】
ここで、複数のＬＥＤチップ９２２は、実装用基板１０上の第１領域ＡＲ１（図２（ａ）参照）に配設され、複数のＬＥＤチップ９３２は、実装用基板１０上の第２領域ＡＲ２（図２（ａ）参照）に配設されている。そして、これらのＬＥＤチップ９２２，９３２は、シリコーン樹脂等の透光性材料からなる光学部材９２４で覆われている。また、ＬＥＤチップ９２２は、第１色温度の白色光を出射し、ＬＥＤチップ９３２は、第２色温度の白色光を出射する。そして、複数のＬＥＤチップ９２２から第１発光部９２０が構成され、複数のＬＥＤチップ９３２から第２発光部９３０が構成されている。
【００９７】
（７）実施の形態１に係る発光装置１では、第１発光部２０が複数（図２（ａ）では１８個）のＬＥＤチップ２２を覆う一つの第１波長変換部材２４を備える。また、第２発光部３０それぞれが複数（図２（ａ）では３個）のＬＥＤチップ３２を覆う一つの第２波長変換部材３４を備える。但し、第１発光部２０の一部を構成する複数のＬＥＤチップ２２が個別に第１波長変換部材で覆われるとともに、第２発光部３０の一部を構成する複数のＬＥＤチップ３２それぞれが、個別に第２波長変換部材で覆われてなる構成でもよい。
【００９８】
本変形例に係る発光装置１１０１の要部断面図を図１７（ｂ）に示す。
発光装置１１０１は、実施の形態１と略同様の構成を有し、実装用基板１０上の第１領域ＡＲ１（図２（ａ）参照）に配設された複数のＬＥＤチップ２２が、個別に第１波長変換部材１１３４で覆われている。また、実装用基板１０上の第２領域ＡＲ２（図２（ａ）参照）に配設された複数のＬＥＤチップ３２が、個別に第２波長変換部材１１３４で覆われている。そして、第１波長変換部材１１２４で覆われた複数のＬＥＤチップ２２が第１発光部１１２０を構成し、第２波長変換部材１１３４で覆われた複数のＬＥＤチップ３２が第２発光部１１３０を構成している。
【００９９】
（８）  実施の形態１、２では、第１発光部２０、第２発光部３０は、それぞれ複数個のＣＯＢ(Chip on Board)タイプのＬＥＤチップ２２，３２を実装し、それらを覆うように配された第１波長変換部材２４、第２波長変換部材３４で構成されていたが、これに限られない。
例えば、第１発光部２０、第２発光部３０はそれぞれ、単一または複数のＳＭＤ（Surface Mount Device）タイプのＬＥＤパッケージを実装することによって構成することもできる。
【０１００】
この場合も、実施の形態１及び実施の形態２と同様の効果を得ることができる。
ＳＭＤタイプのＬＥＤパッケージを用いている場合、第１発光部２０の各ＬＥＤパッケージにＬＥＤチップ２２及び第１波長変換部材が収納され、第２発光部３０の各ＬＥＤパッケージにＬＥＤチップ３２及び第２波長変換部材が収納されている。
そしてＳＭＤタイプのＬＥＤパッケージを用いると、波長変換部材の形成領域を変えずに、ＬＥＤパッケージを配置する位置を変えるだけで、第１発光部２０および第２発光部３０の領域を簡易的に調節することができる。
【０１０１】
ただし、第１波長変換部材は、第１発光部２０の各ＬＥＤパッケージに収納されているものに限らず、ＬＥＤチップ２２の光出射側に配置されているものであればよい。また、第２波長変換部材についても、第２発光部３０の各ＬＥＤパッケージに収納されているものに限らず、ＬＥＤチップ３２の光出射側に配置されているものであればよい。
（９）実施の形態１では、第１発光部、第２発光部が、黄色蛍光体、緑色蛍光体および橙色蛍光体を組み合わせて使用する例について説明したが、使用する蛍光体の種類はこれに限定されるものではない。例えば、青色蛍光体や青緑色蛍光体、赤色蛍光体を組み合わせて使用するものであってもよい。
【０１０２】
ここで、青色蛍光体としては、例えば、アルミン酸塩蛍光体たるＢａＭｇＡｌ10Ｏ17：Ｅｕ2+、ハロリン酸塩蛍光体たる（Ｓｒ，Ｂａ）10（ＰＯ4）6Ｃｌ2：Ｅｕ2+やＳｒ10（ＰＯ4）6Ｃｌ2：Ｅｕ2+、珪酸塩（シリケート）蛍光体たるＢａ3ＭｇＳｉ2Ｏ8：Ｅｕ2+を好適に用いることができる。
青緑色蛍光体としては、例えば、アルミン酸塩蛍光体たるＳｒ4Ａｌ14Ｏ25：Ｅｕ2+、珪酸塩蛍光体たるＳｒ2Ｓｉ3Ｏ8・２ＳｒＣｌ2：Ｅｕ2+を好適に用いることができる。
【０１０３】
赤色蛍光体としては、例えば、硫化物蛍光体であるチオガレートたる（Ｓｒ，Ｃａ）Ｓ：Ｅｕ2+、Ｌａ2Ｏ2Ｓ：Ｅｕ3+，Ｓｍ3+、珪酸塩蛍光体たるＢａ3ＭｇＳｉ2Ｏ8：Ｅｕ2+：Ｍｎ2+、窒化物蛍光体たるＣａＡｌＳｉＮ3：Ｅｕ2+、（Ｃａ，Ｓｒ）ＳｉＮ2：Ｅｕ2+、（Ｃａ，Ｓｒ）ＡｌＳｉＮ3：Ｅｕ2+、酸窒化物蛍光体たるＳｒ2Ｓｉ5-xＡｌxＯxＮ8-x：Ｅｕ2+(０≦ｘ≦１)、Ｓｒ2（Ｓｉ，Ａｌ）5（Ｎ，Ｏ）8：Ｅｕ2+を好適に用いることができる。
【０１０４】
（１０）実施の形態２では、電源装置１０４０が第１発光部２０に電力を供給する第１電源回路１０４４と、第２発光部３０に電力を供給する第２電源回路１０４６とを備え、第１発光部２０、第２発光部３０に独立して電力供給を行うヘッドライト１００１の例について説明した。但し、第１発光部２０および第２発光部３０に一括して電力供給を行うようにしてもよい。この場合、第１発光部２０の一部を構成するＬＥＤチップ２２と、第２発光部３０の一部を構成するＬＥＤチップ３２とが同一の閉回路に接続される。
【０１０５】
本構成によれば、電源装置１０４０の回路構成の簡素化を図ることができる。
（１１）実施の形態２では、第１色温度の光を放射する第１発光部２０と、第２色温度の光を放射する第２発光部３０とを備えた発光装置１を搭載するヘッドライト１００１の例について説明した。但し、ヘッドライドに搭載する発光装置１は、必ずしも２種類の発光部を備えるものに限定されるものではない。例えば、１種類の発光装置が搭載されたヘッドライトを複数個備えた構成としてもよい。
【０１０６】
本変形例に係る照明システム３００１の一部破断した斜視図を図１８（ａ）に示し、各ヘッドライト１００１Ａ，１００１Ｂに搭載された発光装置１２０１Ａ，１２０１Ｂの斜視図を図１８（ｂ）に示す。なお、実施の形態１および実施の形態２と同様の構成については同一の符号を付して適宜説明を省略する。
照明システム３００１は、基材３０１０に、第１色温度の光を出射する２つのヘッドライト１００１Ａと、第２色温度の光を出射する２つのヘッドライト１００１Ｂとが固定された構造を有する。ここで、ヘッドライト１００１Ａは、第１色温度の光を出射する発光装置１２０１Ａが搭載されている。ヘッドライト１００１Ｂは、第２色温度の光を出射する発光装置１２０１Ｂが搭載されている。
【０１０７】
２つのヘッドライト１００１Ａは並んで配置されている。そして、２つのヘッドライト１００１Ａの並び方向における外側それぞれにヘッドライト１００１Ｂが配置されている。
発光装置１２０１Ａ，１２０１Ｂは、いずれも１種類の色温度の光を放射する発光部１２２０Ａ，１２２０Ｂを備える。
【０１０８】
発光部１２２０Ａは、第１色温度の光を放射する。ここで、第１色温度の光とは、色温度が２０００Ｋ以上５５００Ｋ以下の範囲の白色光である。
発光部１２２０Ｂは、第１色温度よりも高い第２色温度の光を出射する。ここで、第２色温度の光とは、色温度が５５００Ｋよりも大きく２００００Ｋ以下の範囲内の白色光である。
【０１０９】
次に、本変形例に係る照明システム３００１の配光特性について説明する。
発光ユニット１の配光特性を説明するための図を図１９（ａ）および（ｂ）に示す。なお、図１９（ｂ）における紙面に沿った右向きをＰ軸方向、紙面に直交し且つ紙面の手前に向かう方向をＱ軸方向とし、図１９（ｂ）における紙面に沿った右向きをＰ軸方向、紙面に沿った上向きをＱ軸方向としている。そして、Ｑ軸方向が鉛直方向とは正反対の方向に一致している。
【０１１０】
図１９（ａ）に示すように、照明システム３００１の前方において照明システム３００１から離間した位置に、スクリーンＳＣを配置したとする。すると、図１９（ｂ）に示すように、ヘッドライト１００１Ａから出射される光は、スクリーンＳＣ上における第１照射範囲ＳＡ３１（縦横クロスハッチ部分）に照射され、ヘッドライト１００１Ｂから出射される光は、スクリーンＳＣ上における第２照射範囲ＳＡ３２（斜めクロスハッチ部分）に照射される。ここで、第２照射範囲ＳＡ３２は、第１照射範囲ＳＡ１の一部と重複し、第１照射範囲ＳＡ１の外延部の一部を含んでいる。これにより、第２照射範囲ＳＡ３２のうち、第１照射範囲ＳＡ３１と重ならない照射範囲ＳＡ３３（「第３照射範囲」と称する。）は、第１照射範囲ＳＡ３１内よりも色温度が高くなる。
【符号の説明】
【０１１１】
１          発光ユニット
２０１，３０１，４０１，５０１，６０１，７０１，８０１，９０１，１１０１  発光装置
１０，２１０，３１０，４１０，５１０  実装用基板
１１，５６  絶縁性基材
１２        導体パターン
１６        枠体
１７，９２４  光学部材
１８，５８  反射膜
１９，５９  接着シート
２０，２２０，３２０，４２０，５２０，８２０，９２０，１１２０  第１発光部
２２，３２，９２２，９３２  ＬＥＤチップ
２４，８２４，１１２４  第１波長変換部材
３０，２３０，３３０，４３０，５３０，６３０，８３０，９３０，１１３０  第２発光部
３４，６３４，７３４，８３４，１１３４  第２波長変換部材
４０        伝熱板
４２ａ，４２ｂ，５３ａ，５３ｂ  貫通孔
５０        配線基板
５２ａ      窓部
５４        配線パターン
５４ａ      電極パッド
５４ｂ      延出部
６０        金属ワイヤ
６２        封止部材
６３４ａ    傾斜面
１００１    ヘッドライト
１０１０    ハウジング
１０１１    本体部
１０１１ａ  円筒状部
１０１１ｂ  第１壁
１０１１ｃ  第２壁
１０１１ｄ  開口部
１０１１ｅ  平面
１０１２    蓋体
１０２０    反射板
１０２５    遮光板
１０３０    投影レンズ
１０４０    電源装置
１０４２    電源線
１０４４    第１電源回路
１０４６    第２電源回路
１０５０    支持部材
ＡＲ１，ＡＲ２０１，ＡＲ３０１，ＡＲ４０１，ＡＲ５０１，ＡＲ８０１  第１領域
ＡＲ２，ＡＲ２０２，ＡＲ３０２，ＡＲ４０２，ＡＲ５０２，ＡＲ８０２  第２領域
ＳＡ１，ＳＡ２１  第１照射範囲
ＳＡ２，ＳＡ２２  第２照射範囲
【図１】
2013232634.tif 000009
【図２】
2013232634.tif 000010
【図３】
2013232634.tif 000011
【図４】
2013232634.tif 000012
【図５】
2013232634.tif 000013
【図６】
2013232634.tif 000014
【図７】
2013232634.tif 000015
【図８】
2013232634.tif 000016
【図９】
2013232634.tif 000017
【図１０】
2013232634.tif 000018
【図１１】
2013232634.tif 000019
【図１２】
2013232634.tif 000020
【図１３】
2013232634.tif 000021
【図１４】
2013232634.tif 000022
【図１５】
2013232634.tif 000023
【図１６】
2013232634.tif 000024
【図１７】
2013232634.tif 000025
【図１８】
2013232634.tif 000026
【図１９】
2013232634.tif 000027
【図２０】
2013232634.tif 000028